(57)【要約】【課題】バーナの燃焼熱で加熱される熱媒の循環状態についての異常の有無を精度よく判断することができる熱源装置を提供する。【解決手段】熱源装置Ｈの制御部８０は、所定の消火条件が満たされた際に、熱媒加熱部３のバーナ３２を消火するとともに、燃焼ファン３６を駆動して燃焼室３０から燃焼排気を排出させるアフターパージを実行する。異常検知部８１は、アフターパージの実行終了時から所定時間経過後に、熱媒加熱部３における熱媒の検出温度が所定温度以上であった場合に、熱媒の循環状態に異常が生じていると判断する。【選択図】図２
2020200979.tif 000002
【特許請求の範囲】
【請求項１】
熱媒が循環する熱媒循環路と、前記熱媒循環路の途中に設けられ、前記熱媒を加熱する熱媒加熱部と、前記熱媒加熱部を制御する制御部と、前記熱媒の循環状態の異常を検知する異常検知部と、前記熱媒の温度を検出する温度センサとを備えた熱源装置であって、
前記熱媒加熱部は、少なくとも、燃焼室と、前記燃焼室の内部で前記熱媒循環路を流通する前記熱媒と熱交換を行う熱媒熱交換器と、前記燃焼室に設けられ、前記熱媒熱交換器を加熱するバーナと、前記燃焼室から前記バーナの燃焼排気を排出するファンとから構成され、
前記制御部は、所定の消火条件が満たされた際に、前記バーナを消火するとともに、前記ファンを第１回転数で駆動して前記燃焼室から燃焼排気を排出させる第１パージ運転を実行し、
前記異常検知部は、前記第１パージ運転の実行終了時から所定時間経過後に、前記熱媒加熱部における前記熱媒の検出温度が所定温度以上であった場合に、前記熱媒の循環状態に異常が生じていると判断することを特徴とする熱源装置。
【請求項２】
請求項１の熱源装置において、
前記制御部は、前記第１パージ運転の実行終了後に、前記第１パージ運転よりも低い回転数で前記ファンを駆動する第２パージ運転を実行し、
前記異常検知部は、前記第２パージ運転の実行開始時から所定時間経過後に、前記熱媒加熱部における前記熱媒の検出温度が所定温度以上であった場合に、前記熱媒の循環状態に異常が生じていると判断することを特徴とする熱源装置。
【発明の詳細な説明】
【技術分野】
【０００１】
本発明は、水等の熱媒を、ポンプによって熱媒循環路に循環させながら、熱交換器を用いてバーナの燃焼熱で加熱する熱源装置に関する。
【背景技術】
【０００２】
従来、温水暖房器、給湯器、風呂釜、及び、それらの複合器等において、水等の熱媒を、ポンプによって熱媒循環路に循環させながら、熱交換器によって加熱するとともに、加熱された熱媒の熱を暖房端末等から放熱する熱源装置がある。
【０００３】
ところで、この種の熱源装置のように、熱媒を循環させるタイプの熱源装置では、加熱をしていない状態で熱媒が循環すると、通常であれば、暖房端末等からの放熱によって、熱媒の温度は徐々に低下していく。
【０００４】
しかし、例えば、熱媒を循環させるポンプの故障、熱媒循環路の内部における異物の堆積、熱媒循環路の内部に溜まった空気等によって、熱媒の循環が阻害されてしまっている場合、熱媒の温度は、循環が阻害されていない場合に比べて、暖房端末等から放熱されにくくなるので、低下しにくくなる。
【０００５】
すなわち、バーナによる熱媒の加熱が停止した後に熱媒の温度の変化を参照することによって、熱媒の循環状態を把握することができる。そこで、この種の熱源装置では、熱媒の循環状態に異常が生じているか否かの判断を行う手法として、熱媒の加熱が停止した後における熱媒の温度を参照して判断を行う手法を採用しているものが知られている（例えば、特許文献１参照）。
【先行技術文献】
【特許文献】
【０００６】
【特許文献１】特開２００１−２４８８９５号公報
【発明の概要】
【発明が解決しようとする課題】
【０００７】
しかし、特許文献１の熱源装置のような、熱媒を加熱するためにバーナの燃焼熱を用いるものでは、バーナを停止した後に、燃焼室の内部に残留している燃焼排気の熱量、熱交換器に蓄積された熱量等によって、熱媒が加熱されてしまい熱媒の温度が上昇してしまう（いわゆる後沸き）。
【０００８】
そして、熱媒の温度が上昇している状態では、熱媒の温度を参照する判断手法を用いて熱媒の循環状態についての異常の有無を判断すると、実際には熱媒の循環が阻害されていないのにも関わらず、循環が阻害されていると判断されてしまい、熱媒の循環状態についての異常の有無を精度よく判断できないおそれがある。
【０００９】
本発明は以上の点に鑑みてなされたものであり、バーナの燃焼熱で加熱される熱媒の循環状態についての異常の有無を精度よく判断することができる熱源装置を提供することを目的とする。
【課題を解決するための手段】
【００１０】
本発明の熱源装置は、
熱媒が循環する熱媒循環路と、前記熱媒循環路の途中に設けられ、前記熱媒を加熱する熱媒加熱部と、前記熱媒加熱部を制御する制御部と、前記熱媒の循環状態の異常を検知する異常検知部と、前記熱媒の温度を検出する温度センサとを備えた熱源装置であって、
前記熱媒加熱部は、少なくとも、燃焼室と、前記燃焼室の内部で前記熱媒循環路を流通する前記熱媒と熱交換を行う熱媒熱交換器と、前記燃焼室に設けられ、前記熱媒熱交換器を加熱するバーナと、前記燃焼室から前記バーナの燃焼排気を排出するファンとから構成され、
前記制御部は、所定の消火条件が満たされた際に、前記バーナを消火するとともに、前記ファンを第１回転数で駆動して前記燃焼室から燃焼排気を排出させる第１パージ運転を実行し、
前記異常検知部は、前記第１パージ運転の実行終了時から所定時間経過後に、前記熱媒加熱部における前記熱媒の検出温度が所定温度以上であった場合に、前記熱媒の循環状態に異常が生じていると判断することを特徴とする。
【００１１】
ここで、「熱媒加熱部における熱媒の検出温度」とは、熱媒全体の温度ではなく、燃焼室の内部、又は、燃焼室に隣接する位置（例えば、燃焼室の出口又は入口）等における熱媒の検出温度を指す。
【００１２】
本発明の熱源装置のようにバーナを用いた熱源装置では、一般的に、加熱を停止する際、バーナを消火するとともに、燃焼室の内部に残留している燃焼排気の熱量、熱交換器に蓄積された熱量等による熱媒の加熱（いわゆる後沸き）を抑制するために、バーナの設置されている燃焼室から燃焼排気を排出させるパージ運転（本発明における第１パージ運転。いわゆるアフターパージ。）が実行される。
【００１３】
一方で、この第１パージ運転の実行中及び実行終了直後においては、その実行の際における燃焼排気の排出動作によって、熱媒の循環する配管の表面温度、温度センサの検出部分等が過剰に冷却されて、熱媒加熱部における熱媒の検出温度は、大きく低下する。
【００１４】
すなわち、第１パージ運転の実行中及び実行終了直後において、そのような温度の低下が生じてしまうために、熱媒の循環状態についての異常の有無を正確に判断することができない。
【００１５】
しかし、そのような温度の低下の影響（すなわち、第１パージ運転の影響）は、一時的なものであり、時間の経過とともに小さくなる。そのため、燃焼室の内部の容量等に応じた所定の時間が経過した後には、その影響は無視することができる。
【００１６】
そこで、このように、本発明の熱源装置では、第１パージ運転の実行終了時から所定時間経過後（すなわち、第１パージ運転による温度の変化が終了した時点）における熱媒の検出温度に基づいて、熱媒の循環状態に異常が生じているか否かを判断している。具体的には、その時点において検出温度が高い場合には、熱媒の循環状態に異常が生じていると判断している。
【００１７】
これにより、本発明の熱源装置では、その判断に際して、第１パージ運転を実行することによって、バーナの燃焼熱の影響（燃焼室の内部に残留している燃焼排気の熱量、熱交換器に蓄積された熱量の影響）を排除し、さらに、所定時間を経過させることによって、第１パージ運転による冷却の影響を排除することができる。
【００１８】
したがって、本発明の熱源装置によれば、熱媒がバーナの燃焼熱で加熱されるものであっても、熱媒の循環状態を精度よく判断を行うことができる。
【００１９】
また、熱源装置においては、
前記制御部は、前記第１パージ運転の実行終了後に、前記第１パージ運転よりも低い回転数で前記ファンを駆動する第２パージ運転を実行し、
前記異常検知部は、前記第２パージ運転の実行開始時から所定時間経過後に、前記熱媒加熱部における前記熱媒の検出温度が所定温度以上であった場合に、前記熱媒の循環状態に異常が生じていると判断することが好ましい。
【００２０】
バーナを用いた熱源装置では、第１パージ運転の実行後に、次回の燃焼をスムーズに開始するために、第１パージ運転よりも低い回転数でファンを駆動して燃焼室の内部の空気を置換させる第２パージ運転（いわゆるポストパージ）が実行されることがある。
【００２１】
この第２パージ運転は、第１パージ運転と比較して回転数が低いので、第２パージ運転によって導入される外気の流れによって、第１パージ運転のように、熱媒の循環する配管の表面温度、温度センサの検出部分等に過剰な冷却は生じない。一方で、その冷却の度合いは、燃焼室の内部に残留している燃焼排気の熱量、熱交換器に蓄積された熱量等を抑制しきれるほどでもない。
【００２２】
そのため、第２パージ運転の実行開始直後においては、熱媒の検出温度は、第１パージ運転で冷却された温度から、ある程度の温度まで徐々に上昇する。すなわち、第２パージ運転の実行開始直後における熱媒の検出温度に基づいて熱媒の循環状態に異常が生じているか否かを判断すると、上昇の程度が少ないので、精度よく判断を行えないおそれがある。
【００２３】
そこで、このように、第２パージ運転の実行開始時から所定時間経過後に、熱媒の循環状態に異常が生じているか否かの判断を行うようにすると、第２パージ運転によって熱媒の温度が安定した段階で判断がなされるようになる。これにより、さらに精度よく判断を行うことができる。
【図面の簡単な説明】
【００２４】
【図１】実施形態に係る熱源装置の概略構成を示す模式図。
【図２】図１の熱源装置が熱媒の循環状態の異常を判定する際に実行する処理を示すフローチャート。
【図３】図１の熱源装置における熱媒の検出温度の変化の一例を示すグラフ。
【発明を実施するための形態】
【００２５】
まず、図１を参照して、熱源装置Ｈの概略構成について説明する。
【００２６】
図１に示すように、熱源装置Ｈは、暖房端末１（床暖房機等）が途中に接続されている熱媒循環路２と、熱媒循環路２の途中に設けられている熱媒加熱部３と、熱媒加熱部３をバイパスして熱媒循環路２を連通する熱媒バイパス路４と、湯水が流通する給湯路５と、熱媒バイパス路４及び給湯路５の途中に設けられている給湯熱交換器６と、熱媒循環路２に熱媒（水、不凍液等）を循環させる循環ポンプ７とを備えている。
【００２７】
熱媒加熱部３は、熱媒循環路２の途中に設けられている燃焼室３０と、燃焼室３０の内部に配置されている熱媒熱交換器３１と、燃焼室３０に配置され、熱媒熱交換器３１を加熱するバーナ３２と、バーナ３２に点火する点火電極３３と、バーナ３２の燃焼炎を検出するフレームロッド３４と、供給源（不図示）からの燃料ガスを供給するガス供給路３５と、燃焼室３０に対する気体の導入又は排出を行う燃焼ファン３６とを有している。
【００２８】
また、熱媒加熱部３は、熱媒熱交換器３１の入口側で熱媒の温度を検出する入口側温度センサ３７と、熱媒熱交換器３１の出口側で熱媒の温度を検出する出口側温度センサ３８と、熱媒熱交換器３１の入口付近で圧力を検出する圧力センサ３９とを有している。
【００２９】
燃焼ファン３６は、ガス供給路３５から供給される燃料ガスと燃焼用空気とを混合して生成された混合気を、バーナ３２に供給する。また、燃焼ファン３６は、燃焼室３０からの燃焼排気の排出、及び、燃焼室３０への外気の導入も行う。
【００３０】
具体的には、燃焼ファン３６は、バーナ３２の停止後に、燃焼室３０の内部から燃焼排気を排出することによって、燃焼室３０の内部に残留している燃焼排気の熱量、熱媒熱交換器３１に蓄積された熱量等による熱媒の加熱（いわゆる後沸き）を抑制するため、第１回転数（例えば、３００Ｈｚ）で駆動するアフターパージ（第１パージ運転）を行う。
【００３１】
また、燃焼ファン３６は、アフターパージの実行後に、燃焼室３０の内部の空気を置換する（例えば、燃焼室３０の内部の空気を排出するとともに外気（例えば、熱源装置Ｈの外部の空気）を導入する）ことによって、次回の燃焼をスムーズに開始するため、第１回転数よりも低い第２回転数（例えば、１５０Ｈｚ）で駆動するポストパージ（第２パージ運転）も行う。
【００３２】
なお、ポストパージの実行の際における燃焼ファン３６の回転数は、アフターパージの実行の際における燃焼ファン３６の回転数に比べ低くなっている。これは、燃焼排気の排出量、外気の導入量だけでなく、アフターパージに比べ長時間実行されるポストパージにおいて、騒音の量を抑制するためでもある。
【００３３】
ガス供給路３５には、ガス供給路３５の開度を変更して燃料ガスの供給流量を変更するガス可変弁３５ａが設けられている。
【００３４】
熱媒バイパス路４は、熱媒循環路２に上流端及び下流端で接続されている。本実施形態では、熱媒循環路２と熱媒バイパス路４との接続箇所のうち、熱媒バイパス路４の上流側となる接続箇所を接続箇所Ｘとし、熱媒バイパス路４の下流側となる接続箇所を接続箇所Ｙとする。接続箇所Ｙには、切換弁４０が設けられている。
【００３５】
切換弁４０は、熱媒バイパス路４側を経由して循環ポンプ７から熱媒加熱部３に流通する熱媒の流量（第１ポート４０ａから第２ポート４０ｂに流通する熱媒の流量）と、暖房端末１側を経由して循環ポンプ７から熱媒加熱部３へと流通する熱媒の流量（第３ポート４０ｃから第２ポート４０ｂに流通する熱媒の流量）との比率（分配比）を変更する。
【００３６】
給湯路５の上流端は、上水道（不図示）に接続され、下流端は、給湯栓５０に接続されている。給湯路５には、開度を変更することによって給湯路５に流入する水の流量を変更する流量可変弁５１が設けられている。また、給湯路５には、給湯路５に流入する水の流量を検出する流量センサ５２が設けられている。また、給湯路５には、給湯熱交換器６の出口側における給湯路５の湯水の温度を検出する出湯温度センサ５３が設けられている。
【００３７】
このように構成されている熱源装置Ｈでは、給湯熱交換器６によって、熱媒バイパス路４を流通する熱媒と給湯路５を流通する湯水との間で熱交換を行って、給湯路５を流通する水が加熱される。また、熱媒熱交換器３１によって、バーナ３２の燃焼炎による燃焼排気と熱媒循環路２を流通する熱媒との間で熱交換を行って、熱媒循環路２を流通する熱媒が加熱される。
【００３８】
また、熱源装置Ｈは、熱源装置Ｈの全体的な作動を制御するコントローラ８と、熱源装置Ｈを遠隔操作するための熱源リモコン９ａ、及び、暖房端末１を遠隔操作するための暖房リモコン９ｂとを備えている。
【００３９】
コントローラ８は、ＣＰＵ、メモリ、各種インターフェース回路等によって構成された電子回路ユニットである。コントローラ８は、メモリに保持された熱源装置Ｈの制御用プログラムをＣＰＵで実行することにより、制御部８０及び異常検知部８１として機能する。
【００４０】
コントローラ８には、フレームロッド３４、入口側温度センサ３７、出口側温度センサ３８、流量センサ５２、及び、出湯温度センサ５３の各検出信号が入力される。また、コントローラ８から出力される制御信号により、循環ポンプ７、バーナ３２、点火電極３３、ガス可変弁３５ａ、燃焼ファン３６、切換弁４０、及び、流量可変弁５１の作動が制御される。
【００４１】
コントローラ８には、熱源装置Ｈを遠隔操作するための熱源リモコン９ａが接続されている。この熱源リモコン９ａに対する使用者の操作に応じて、操作信号（例えば、給湯設定温度等の運転条件の設定、暖房運転の開始等を指示する信号）が、コントローラ８に入力される。また、コントローラ８から出力される制御信号によって、熱源リモコン９ａの表示部９ａ１の画面及びスピーカ９ａ２からの音声出力が制御される。
【００４２】
また、コントローラ８には、暖房端末１を遠隔操作するための暖房リモコン９ｂが接続されている。コントローラ８は、暖房リモコン９ｂから送信される暖房の開始／停止指示、暖房設定温度、室温センサ９ｂ１による室温の検出温度等を示す信号を受信する。
【００４３】
ここで、制御部８０により実行される暖房運転について説明する。
【００４４】
制御部８０は、使用者が熱源リモコン９ａ又は暖房リモコン９ｂにより暖房の開始操作が行われたときに、暖房運転を開始する。暖房運転においては、制御部８０は、切換弁４０を、第１ポート４０ａと第２ポート４０ｂとの間を遮断し、第３ポート４０ｃと第２ポート４０ｂとの間を連通した第１切換状態として、循環ポンプ７を作動させる。
【００４５】
これにより、熱媒循環路２の熱媒が、循環ポンプ７→熱媒熱交換器３１→接続箇所Ｘ→暖房端末１→切換弁４０（接続箇所Ｙ）→循環ポンプ７の経路で循環する状態（第１循環状態）となる。そして、制御部８０は、この状態で、室温センサ９ｂ１の検出温度が暖房設定温度付近となるように、バーナ３２の作動を制御する。
【００４６】
具体的には、室温センサ９ｂ１の検出温度が暖房設定温度＋αとなり、且つ、その温度が所定時間（例えば、５秒）以上継続した場合には、制御部８０は、バーナ３２を消火して、熱媒の加熱を停止する。また、室温センサ９ｂ１の検出温度が暖房設定温度−αとなり、且つ、その温度が所定時間（例えば、５秒）以上継続した場合には、制御部８０は、バーナ３２を再点火して、熱媒の加熱を再開する。
【００４７】
そして、暖房端末１は、このようにして設定温度付近まで加熱された熱媒の熱によって、例えば、温風を生成して、その温風によって室内等の対象を暖房する。
【００４８】
一方、制御部８０は、使用者が熱源リモコン９ａ又は暖房リモコン９ｂにより暖房の停止操作が行われたときに、バーナ３２と循環ポンプ７の作動を停止して暖房運転を終了する。なお、熱源リモコン９ａ又は暖房リモコン９ｂがタイマ運転の設定機能を有している場合には、タイマ運転の開始及び停止の設定条件に応じて、制御部８０は、暖房運転の開始と停止を行う。
【００４９】
次に、制御部８０により実行される給湯運転について説明する。
【００５０】
制御部８０は、流量センサ５２の検出流量を監視し、流量センサ５２の検出流量が閾値流量（例えば、給湯栓５０が開栓された状態を想定して設定される流量）以上になっているときに、給湯運転を実行する。
【００５１】
給湯運転においては、制御部８０は、切換弁４０を、第３ポート４０ｃと第２ポート４０ｂとの間を遮断し、第１ポート４０ａと第２ポート４０ｂとの間を連通した第２切換状態として、循環ポンプ７を作動させる。
【００５２】
これにより、熱媒循環路２の熱媒が、循環ポンプ７→熱媒熱交換器３１→接続箇所Ｘ→熱媒バイパス路４→切換弁４０（接続箇所Ｙ）→循環ポンプ７の経路で循環する状態（第２循環状態）となる。
【００５３】
制御部８０は、この状態でバーナ３２を作動させ、給湯熱交換器６において、給湯路５を流通する湯水が熱媒バイパス路４を流通する熱媒との熱交換によって加熱される状態にする。そして、制御部８０は、出湯温度センサ５３の検出温度が熱源リモコン９ａにより設定された目標給湯温度となるように、バーナ３２の燃焼量を制御する。
【００５４】
ところで、この熱源装置Ｈでは、例えば、熱媒を循環させる循環ポンプ７の故障、熱媒循環路２の内部における異物の堆積、熱媒循環路２の内部に溜まった空気等によって、熱媒の循環が阻害されてしまうおそれがある。
【００５５】
そこで、この熱源装置Ｈでは、コントローラ８の異常検知部８１が、入口側温度センサ３７及び出口側温度センサ３８からの検出信号に基づいて（すなわち、熱媒の検出温度、又は、その温度変化に基づいて）、熱媒の循環状態に異常が生じているか否かを判定している。
【００５６】
以下においては、図１〜図３を参照して、コントローラ８が、熱媒の循環状態の異常を検知する際に実行する処理について説明する。図２は、その際に行われる処理を示すフローチャートである。また、図３は、出口側温度センサ３８で検出された熱媒の検出温度の変化を示すグラフである。
【００５７】
この処理においては、まず、コントローラ８の制御部８０が、消火条件が満足されたか否かを判断する（図２／ＳＴＥＰ１）。
【００５８】
具体的には、本実施形態においては、入口側温度センサ３７、及び、出口側温度センサ３８のいずれか一方において検出された熱媒の検出温度が９０度以上となり、且つ、その温度が１秒以上継続した場合に、安全のための消火条件が満足されたと判断する。なお、図３のグラフにおいては、ｔ１において、その消火条件が満足されている。
【００５９】
消火条件が満足されていないと判断された場合（ＳＴＥＰ１においＮＯの場合）、制御部８０は、ＳＴＥＰ１に戻り、所定の制御周期で同じ判断を繰り返す。
【００６０】
一方、消火条件が満足されたと判断された場合（ＳＴＥＰ１においてＹＥＳの場合）、制御部８０は、バーナ３２を消火する（図２／ＳＴＥＰ２）。
【００６１】
次に、制御部８０は、燃焼ファン３６を駆動して、アフターパージを実行する（図２／ＳＴＥＰ３）。
【００６２】
ここで、アフターパージとは、バーナ３２が消火された後に、燃焼室３０の内部に残留している燃焼排気の熱量、熱媒熱交換器３１に蓄積された熱量等による熱媒の加熱（いわゆる後沸き）を抑制するために、燃焼室３０の内部に残った燃焼排気を排出させる操作である。本実施形態では、燃焼ファン３６を、例えば、３００Ｈｚで駆動して、燃焼室３０から燃焼排気を排出させる。なお、この風量は、燃焼室３０の内部の容量等に応じて、適宜設定される。
【００６３】
熱源装置Ｈでは、バーナ３２の消火及びアフターパージによって、燃焼室３０の内部の温度（ひいては、熱媒の検出温度）が急激に低下する。本実施形態では、アフターパージは、図３のグラフにおいて、ｔ１からｔ２の期間に実行される。
【００６４】
次に、制御部８０は、燃焼ファン３６を駆動して、ポストパージを実行する（図２／ＳＴＥＰ４）。
【００６５】
ここで、ポストパージとは、アフターパージの実行終了後に、次回の燃焼をスムーズに開始するために、燃焼室３０の内部の空気を置換させる操作である。本実施形態では、燃焼ファン３６を、例えば、１５０Ｈｚで駆動して、燃焼室３０の内部の空気と熱源装置Ｈの外部の空気とを置換させる。なお、この風量は、燃焼室３０の内部の容量等に応じて、適宜設定される。
【００６６】
熱源装置Ｈでは、ポストパージによって、燃焼室３０の内部の温度（ひいては、熱媒の検出温度）が所定温度（例えば、外気の温度）となる。本実施形態では、ポストパージは、図３のグラフにおいて、ｔ２からｔ３の期間に実行される。
【００６７】
次に、制御部８０は、ポストパージの実行開始時から所定時間が経過したか否かを判断する（図２／ＳＴＥＰ５）。
【００６８】
ポストパージは、アフターパージと比較して回転数が低いので、ポストパージによって導入される外気の流れによって、熱媒循環路２の表面温度、入口側温度センサ３７及び出口側温度センサ３８に過剰な冷却は生じない。一方で、その冷却の度合いは、燃焼室３０の内部に残留している燃焼排気の熱量、熱媒熱交換器３１に蓄積された熱量等を抑制しきれるほどでもない。
【００６９】
そのため、ポストパージの実行開始直後においては、熱媒の検出温度は、アフターパージで冷却された温度から、ある程度の温度まで徐々に上昇する。そのため、その時点で後述する熱媒の循環状態の異常の判定を行うと、上昇の程度が少ないので、精度よく判定することができないおそれがあるためである。
【００７０】
所定時間が経過していないと判断された場合（ＳＴＥＰ５においてＮＯの場合）、制御部８０は、ＳＴＥＰ５に戻り、所定の制御周期で同じ判断を繰り返す。
【００７１】
所定時間が経過したと判断された場合（ＳＴＥＰ５でＹＥＳの場合）、コントローラ８の異常検知部８１は、熱媒の検出温度が所定温度以上であるか否かに基づいて、熱媒の循環状態に異常が生じているか否かを判断する（図２／ＳＴＥＰ６）。
【００７２】
なお、この判断における「所定温度」は、設定温度に基づいて定められていてもよいし（例えば、設定温度＋αの温度等）、設定温度に関わらず、一律の温度としてもよい（例えば、一律６０℃等）。
【００７３】
熱源装置Ｈにおいては、熱媒の循環状態に異常が生じていない場合には、熱媒の検出温度は、図３のグラフにおいて点線で示したように、アフターパージの実行終了時から所定時間経過後である、ポストパージの実行開始時から所定時間経過後には、一定の温度（例えば、外気の温度）で安定する。
【００７４】
一方で、熱媒の循環状態に異常が生じていた場合には、熱媒の検出温度は、アフターパージの実行終了時には、異常が生じていない場合と同様に熱媒の検出温度は一旦低下する。しかし、この場合、熱媒の検出温度は、図３のグラフにおいて実線で示したように、ポストパージの実行開始時から所定時間経過後（例えば、図３におけるｔ４の時刻）には、ある程度の温度（本実施形態では、６０度を超える程度）まで上昇してしまう。
【００７５】
つまり、ポストパージの実行開始時から所定時間経過後（すなわち、燃焼室３０の内部の温度の上昇が終了した後（例えば、５０〜８０秒経過した後））の熱媒の検出温度が所定温度を超えていた場合には、熱媒の循環状態に異常が生じていると判断することができる。
【００７６】
そして、熱媒の検出温度が所定温度以上ではなく、熱媒の循環状態に異常が生じていないと判断された場合（ＳＴＥＰ６でＮＯの場合）、制御部８０は、燃焼装置Ｈ全体を停止して、今回の処理を終了する。
【００７７】
一方で、熱媒の検出温度が所定温度以上であり、熱媒の循環状態に異常が生じていると判断された場合（ＳＴＥＰ６でＹＥＳの場合）、制御部８０は、使用者に対しエラーを報知して（図２／ＳＴＥＰ８）、その後、燃焼装置Ｈ全体を停止して、今回の処理を終了する。
【００７８】
具体的には、本実施形態では、制御部８０は、熱源リモコン９ａの表示部９ａ１及びスピーカ９ａ２を介して、使用者にエラーが生じた旨を報知する。
【００７９】
以上説明したように、熱源装置Ｈでは、アフターパージ（第１パージ運転）の実行中又は実行終了直後における熱媒の検出温度ではなく、アフターパージの実行終了時から所定時間経過後（すなわち、アフターパージによる温度の変化が終了し、熱媒の有している熱量による温度の変化が生じ始めた後）における熱媒の検出温度に基づいて、熱媒の循環状態に異常が生じているか否かを判断している。
【００８０】
これにより、熱源装置Ｈでは、その判断に際して、アフターパージを実行することによって、バーナ３２の燃焼熱の影響（燃焼室の内部に残留している燃焼排気の熱量、熱交換器に蓄積された熱量の影響）を排除し、さらに、所定時間を経過させることによって、アフターパージによる冷却の影響を排除することができる。
【００８１】
したがって、熱源装置Ｈによれば、熱媒がバーナ３２の燃焼熱で加熱されるものであっても、熱媒の循環状態を精度よく判断を行うことができる。
【００８２】
以上、図示の実施形態について説明したが、本発明はこのような形態に限定されるものではない。
【００８３】
例えば、上記実施形態においては、アフターパージ（第１パージ運転）の実行終了後にポストパージ（第２パージ運転）を実行している。そして、そのポストパージの実行開始時から所定時間経過後における熱媒の検出温度に基づいて、熱媒の循環状態の異常を判断している。
【００８４】
しかし、本発明の熱源装置は、このような構成に限定されるものではなく、アフターパージの実行終了時から所定時間経過後における熱媒の検出温度に基づいて、熱媒の循環状態の異常を判断するものであればよい。
【００８５】
そのため、例えば、アフターパージの実行終了時から所定時間経過後であって、ポストパージの実行開始前の熱媒の検出温度に基づいて、熱媒の循環状態の異常を有無してもよい。また、例えば、アフターパージの実行終了時から所定時間経過後であって、ポストパージの実行終了後の熱媒の検出温度に基づいて、熱媒の循環状態の異常を判断してもよい。
【００８６】
また、熱源装置の種類によっては、ポストパージを実行しないものもある。そのような熱源装置に対しても、本発明の熱源装置は、前述のように、アフターパージの実行終了時から所定時間経過後における熱媒の検出温度に基づいて、熱媒の循環状態の異常を判断するものであればよいので、適用することができる。
【００８７】
また、上記実施形態においては、消火条件として、熱媒の検出温度が所定温度を超えて、緊急停止がなされた場合について説明している。しかし、本発明における熱媒の循環状態の異常の有無の判断は、そのような場合にのみ行い得るものではない。例えば、使用者からの操作、前述した室温センサの検出温度が暖房設定温度付近となるように行われる制御に基づいて熱源装置の停止が指示された場合にも、異常の有無の判断を行ってもよい。
【００８８】
また、上記実施形態においては、図１に示すように、熱媒の検出温度を熱媒加熱部３の入口近傍に設けられた入口側温度センサ３７、及び、出口近傍に設けられた出口側温度センサ３８を用いて検知するとともに、それらのいずれか一方の温度が所定温度であった場合に、熱媒の循環状態の異常の有無の判断を行っている。
【００８９】
しかし、本発明の熱源装置は、このような構成に限定されるものではなく、熱媒の検出温度を検知できるものであればよい。例えば、燃焼室の内部において検知された熱媒の検出温度を用いて、異常の有無の判断を行ってもよい。
【００９０】
また、例えば、上記実施形態における熱源装置Ｈでは、本実施形態のように構成すると最も精度よく判断することができるが、ある程度精度が低くてもよい場合には、入口側温度センサ３７及び出口側温度センサ３８で検知された温度の両方が所定温度であった場合に異常が生じていると判断するようにしてもよい。
【符号の説明】
【００９１】
１…暖房端末、２…熱媒循環路、３…熱媒加熱部、４…熱媒バイパス路、５…給湯路、６…給湯熱交換器、７…循環ポンプ、８…コントローラ、９ａ…熱源リモコン、９ａ１…表示部、９ａ２…スピーカ、９ｂ…暖房リモコン、９ｂ１…室温センサ、３０…燃焼室、３１…熱媒熱交換器、３２…バーナ、３３…点火電極、３４…フレームロッド、３５…ガス供給路、３５ａ…ガス可変弁、３６…燃焼ファン、３７…入口側温度センサ、３８…出口側温度センサ、３９…圧力センサ、４０…切換弁、４０ａ…第１ポート、４０ｂ…第２ポート、４０ｃ…第３ポート、５０…給湯栓、５１…流量可変弁、５２…流量センサ、５３…出湯温度センサ、８０…制御部、８１…異常検知部、Ｈ…熱源装置。
【図１】
2020200979.tif 000003
【図２】
2020200979.tif 000004
【図３】
2020200979.tif 000005